(57)【要約】【課題】豚骨等を確実に割ることができ、しかも作業効率を向上させることができる破砕装置を提供する。【解決手段】物体を破砕するために使用される装置であって、装置が、装置本体１０に固定された固定側破砕部材３１と、固定側破砕部材３１に対して接近離間可能に設けられた移動側破砕部材３２と、移動側破砕部材３２を固定側破砕部材３１に対して接近離間させる移動機構とからなり、移動機構が、装置本体１０に対して回転可能に設けられた回転体１５を備えており、回転体１５の外周面に、移動側破砕部材３２が設けられており、回転体１５が、その半径方向において、その回転軸１３から固定側破砕部材３１までの距離Ｒ１と、その回転軸１３から移動側破砕部材３２の外端縁までの距離Ｒ２の差Ｄ１が、物体の幅Ｂよりも短くなるように配設されている。【選択図】        図１
2004314023.tif 000002
【特許請求の範囲】
【請求項１】
物体を破砕するために使用される装置であって、
該装置が、
装置本体に固定された固定側破砕部材と、
該固定側破砕部材に対して接近離間可能に設けられた移動側破砕部材と、
該移動側破砕部材を前記固定側破砕部材に対して接近離間させる移動機構とからなり、
該移動機構が、
前記装置本体に対して回転可能に設けられた回転体を備えており、
該回転体の外周面に、前記移動側破砕部材が設けられており、
該回転体が、
その半径方向において、その回転軸から前記固定側破砕部材までの距離と、その回転軸から前記移動側破砕部材の外端縁までの距離の差が、物体の幅よりも短くなるように配設されている
ことを特徴とする破砕装置。
【請求項２】
前記回転体との間に前記固定側破砕部材を挟むように配設された、物体を前記回転体に接近させた状態で保持する保持部材を備えている
ことを特徴とする請求項１記載の破砕装置。
【請求項３】
前記回転体において、
前記移動側破砕部材に対して回転方向前方に位置する外周面が、該回転体と前記固定側破砕部材との間に配置された物体を、その回転軸に対して傾斜させるように形成されている
ことを特徴とする請求項１記載の破砕装置。
【請求項４】
前記移動側破砕部材が、前記回転体の回転方向に沿って複数設けられている
ことを特徴とする請求項１記載の破砕装置。
【請求項５】
前記複数の移動側破砕部材における前記回転体の回転軸方向の長さが、該回転体における回転軸方向の長さよりも短くなるように形成されており、
隣接する前記移動側破砕部材において、一方の移動側破砕部材の前記回転体の回転軸方向の位置が、他方の移動側破砕部材の前記回転体の回転軸方向の位置に対して、前記回転体の回転軸方向に沿ってオフセットしており、
前記移動側破砕部材が、
その外端縁と前記回転体の外周面との間に、前記回転体の回転方向後方に向かって傾斜する傾斜面を備えており、
前記回転体の回転軸方向において、前記移動側破砕部材の傾斜面と、その側方に位置する前記回転体の外周面との間に段差が形成される
ことを特徴とする請求項４記載の破砕装置。
【請求項６】
前記回転体の下方において、前記固定側破砕部材の下流側に、前記固定側破砕部材から物体が供給される複数の第２破砕部材が設けられており、
該複数の第２破砕部材が、前記回転体の回転方向に沿って、互いに間隔を空けた状態で配設されており、
前記回転体の半径方向において、該回転体の回転軸から前記複数の第２破砕部材までの距離と、前記回転体の回転軸から前記移動側破砕部材の外端縁までの距離との差が、物体の幅よりも短い
ことを特徴とする請求項１記載の破砕装置。
【請求項７】
前記一対の破砕部材および前記回転体を覆うケーシングが設けられており、
該ケーシングが、
前記一対の破砕部材に対して物体を供給する物体投入部と、
破砕された物体を排出する排出部とを備えている
ことを特徴とする請求項１記載の破砕装置。
【請求項８】
前記ケーシングの排出部と前記固定側破砕部材との間に、複数の第２破砕部材が設けられており、
該複数の第２破砕部材が、前記回転体の回転方向に沿って、互いに間隔を空けた状態で配設されており、
前記回転体の半径方向において、該回転体の回転軸から前記複数の第２破砕部材までの距離と、前記回転体の回転軸から前記移動側破砕部材の外端縁までの距離との差が、物体の幅よりも短い
ことを特徴とする請求項７記載の破砕装置。
【請求項９】
破砕する物体が、豚骨である
ことを特徴とする請求項１記載の破砕装置。
【発明の詳細な説明】
【０００１】
【発明の属する技術分野】
本発明は、破砕装置に関する。ラーメンのスープの材料やペットフード等に使用される豚や牛等の骨等の内部には、多量の骨髄が収容されているが、骨を煮込むときに骨髄を骨から露出させておくと非常に良いダシがとれるため、豚や牛等の骨等は、使用される前に割られ、その内部の骨髄を露出させた状態で使用される。
本発明は、とくに豚や牛等の骨を割るために使用される破砕装置に関する。
なお、本発明の破砕装置は、豚や牛等の骨を割るためだけでなく、鰹節等を割ったり砕いたりすることにも使用することができるものである。
【０００２】
【従来の技術】
従来、豚骨等は、人がハンマー等を使用して割っていたため、非常に重労働であった。そこで、豚骨等の骨を割る装置として、特許文献１記載の装置（従来例１）が開発されている。
従来例１の骨割り装置は、貫通孔が形成されている複数枚のフレームを重ねて、略筒状の孔を形成し、この略筒状の孔の側面から孔の内部に向けて、複数本の刃部を、シリンダによって出没させるようにしたものである。
このため、略筒状の孔内に豚骨等を入れて、シリンダによって複数本の棒状の刃部を孔内に突出させれば、複数本の刃部を豚骨等に接触させることができる。
【０００３】
【特許文献１】
実公平５−２９０３２号公報
【０００４】
【発明が解決しようとする課題】
しかるに、従来例１の破砕装置の場合、豚骨等は、単に略筒状の孔内に入れられているだけであり、複数本の刃部を接触させるときに豚骨等は固定されていない。すると、豚骨等の位置によっては、刃部を豚骨等に接触させることができず、豚骨等を確実に割ることができない可能性がある。
また、複数本の刃部をシリンダによって移動させているから、刃部の移動速度には限界があり、作業能率が低くなる。しかも、刃部が突出しているときにしか割る作業ができないので、より一層作業能率が低下する。
【０００５】
本発明はかかる事情に鑑み、豚骨等を確実に割ることができ、しかも作業効率を向上させることができる破砕装置を提供することを目的とする。
【０００６】
【課題を解決するための手段】
請求項１の破砕装置は、物体を破砕するために使用される装置であって、該装置が、装置本体に固定された固定側破砕部材と、該固定側破砕部材に対して接近離間可能に設けられた移動側破砕部材と、該移動側破砕部材を前記固定側破砕部材に対して接近離間させる移動機構とからなり、該移動機構が、前記装置本体に対して回転可能に設けられた回転体を備えており、該回転体の外周面に、前記移動側破砕部材が設けられており、該回転体が、その半径方向において、その回転軸から前記固定側破砕部材までの距離と、その回転軸から前記移動側破砕部材の外端縁までの距離の差が、物体の幅よりも短くなるように配設されていることを特徴とする。
請求項２の破砕装置は、請求項１記載の発明において、前記回転体との間に前記固定側破砕部材を挟むように配設された、物体を前記回転体に接近させた状態で保持する保持部材を備えていることを特徴とする。
請求項３の破砕装置は、請求項１記載の発明において、前記回転体において、前記移動側破砕部材に対して回転方向前方に位置する外周面が、該回転体と前記固定側破砕部材との間に配置された物体を、その回転軸に対して傾斜させるように形成されていることを特徴とする。
請求項４の破砕装置は、請求項１記載の発明において、前記移動側破砕部材が、前記回転体の回転方向に沿って複数設けられていることを特徴とする。
請求項５の破砕装置は、請求項４記載の発明において、前記複数の移動側破砕部材における前記回転体の回転軸方向の長さが、該回転体における回転軸方向の長さよりも短くなるように形成されており、隣接する前記移動側破砕部材において、一方の移動側破砕部材の前記回転体の回転軸方向の位置が、他方の移動側破砕部材の前記回転体の回転軸方向の位置に対して、前記回転体の回転軸方向に沿ってオフセットしており、前記移動側破砕部材が、その外端縁と前記回転体の外周面との間に、前記回転体の回転方向後方に向かって傾斜する傾斜面を備えており、前記回転体の回転軸方向において、前記移動側破砕部材の傾斜面と、その側方に位置する前記回転体の外周面との間に段差が形成されることを特徴とする。
請求項６の破砕装置は、請求項１記載の発明において、前記回転体の下方において、前記固定側破砕部材の下流側に、前記固定側破砕部材から物体が供給される複数の第２破砕部材が設けられており、該複数の第２破砕部材が、前記回転体の回転方向に沿って、互いに間隔を空けた状態で配設されており、前記回転体の半径方向において、該回転体の回転軸から前記複数の第２破砕部材までの距離と、前記回転体の回転軸から前記移動側破砕部材の外端縁までの距離との差が、物体の幅よりも短いことを特徴とする。
請求項７の破砕装置は、請求項１記載の発明において、前記一対の破砕部材および前記回転体を覆うケーシングが設けられており、該ケーシングが、前記一対の破砕部材に対して物体を供給する物体投入部と、破砕された物体を排出する排出部とを備えていることを特徴とする。
請求項８の破砕装置は、請求項７記載の発明において、前記ケーシングの排出部と前記固定側破砕部材との間に、複数の第２破砕部材が設けられており、該複数の第２破砕部材が、前記回転体の回転方向に沿って、互いに間隔を空けた状態で配設されており、前記回転体の半径方向において、該回転体の回転軸から前記複数の第２破砕部材までの距離と、前記回転体の回転軸から前記移動側破砕部材の外端縁までの距離との差が、物体の幅よりも短いことを特徴とする。
請求項９の破砕装置は、請求項１記載の発明において、破砕する物体が、豚骨であることを特徴とする。
【０００７】
【発明の実施の形態】
つぎに、本発明の実施形態を図面に基づき説明する。
本発明の破砕装置は、豚や牛等の骨や鰹節などを破砕するために使用される装置であるが、とくに、豚骨等のように比較的硬度が低い物体を破砕するのに適したものである。以下では、代表として、豚骨を破砕する場合について説明する。
【０００８】
図１は本実施形態の破砕装置１の概略説明図である。図２は本実施形態の破砕装置１の要部拡大図である。図１において、符号１０は、本実施形態の破砕装置１の本体を示している。この本体１０には、ステー３を介して固定側破砕部材３１が取り付けられている。
この固定側破砕部材３１の側方には、本体１０に対して回転可能かつ水平に、回転軸１３が設けられている。この回転軸１３は、本体１０に設けられた図示しないモータ等の駆動装置に連結されており、駆動装置を駆動させると反時計回りに回転される。
【０００９】
この回転軸１３には、回転体１５が、その中心軸と回転軸の中心軸が同軸となるように取り付けられている。この回転体１５は、同一形状の３枚の回転部材ＣＰを溶接によって接合して形成されている。各回転部材ＣＰには、その中心軸周りに３つの突起状の移動側破砕部材３２が形成されており、その中心軸方向から見て、各回転部材ＣＰの移動側破砕部材３２が互いに重なり合わないように中心軸に対して等角度間隔となるように接合されている。つまり、回転体１５の外周面には、９つの移動側破砕部材３２が回転軸１３の中心軸周りに等角度間隔で配置されているのである。
なお、３つの回転部材ＣＰは、溶接によって隣接する回転部材ＣＰ同士の間に隙間ができないように形成されている。すると、豚骨等を破砕したときに、髄液等が回転部材ＣＰ同士の間に侵入して腐敗したりすることがないので、衛生的である。
さらになお、回転体１５は一体成形してもよいが、上記のごとき構成とすれば、製造が容易であり、製造コストを抑えることができる。
【００１０】
図２に示すように、前記回転体１５の各移動側破砕部材３２は、その外端縁、つまりその先端部から回転軸１３の中心軸までの距離Ｒ２と、固定側破砕部材３１から回転軸１３の中心軸までの距離Ｒ１との差Ｄ１が、破砕する豚骨ｍの幅Ｂよりも短くなるように形成されている。具体的には、差Ｄ１は、１０〜１５ｍｍとなるように調整されている。
【００１１】
また、図１および図２に示すように、本体１０には、固定側破砕部材３１および回転体１５を覆うように、ケーシング２０が取り付けられている。このケーシング２０には、前記固定側破砕部材３１の上方に、その内部と外部を連通させる物体投入部２２が形成されており、前記回転体１５の下方に、その内部と外部を連通させる排出部２７が形成されている。
そして、ケーシング２０の側壁２３は、固定側破砕部材３１を、回転体１５との間に挟む位置に配置されており、しかも、固定側破砕部材３１における回転体１５側の一端との距離Ｄ２が豚骨ｍの幅Ｂよりも短くなるように配設されている。具体的には、距離Ｄ２が、１０〜１５ｍｍとなるように調整されている。
【００１２】
このため、物体投入部２２からケーシング２０内に豚骨ｍを投入すると、豚骨ｍは固定側破砕部材３１上に落下し、固定側破砕部材３１上においてケーシング２０の側壁２３と回転体１５との間に保持される。そして、距離Ｄ２が、１０〜１５ｍｍ程度であるから、豚骨ｍの大部分は固定側破砕部材３１と回転体１５との間に配置されることになる。
すると、回転体１５が回転して移動側破砕部材３２が固定側破砕部材３１に接近すると、移動側破砕部材３２を豚骨ｍに確実に接触させることができる。しかも、差Ｄ１が１０〜１５ｍｍであり、かつケーシング２０の側壁２３によって回転体１５から離間する方向に移動することを防いでいるから、固定側破砕部材３１と移動側破砕部材３２の間に豚骨ｍを挟むことができる。よって、豚骨ｍを確実に切断したり押圧して破砕することができる。このケーシング２０の側壁２３が特許請求の範囲にいう保持部材に該当する。
【００１３】
また、移動側破砕部材３２は、回転体１５の回転方向に沿って複数設けられているから、一の移動側破砕部材３２が豚骨ｍに接触してから、次の移動側破砕部材３２が豚骨ｍに接触するまでの時間を短くすることができる。よって、豚骨ｍを連続してケーシング２０内に投入しても、各豚骨ｍを破砕する時間を短くできるから、作業効率を向上させることができる。しかも、移動側破砕部材３２を、連続して豚骨ｍに接触させることができるから、豚骨ｍをより確実にかつ細かく破砕することができる。
さらに、回転体１５を回転させて移動側破砕部材３２を固定側破砕部材３１に対して接近させているだけであるから、回転体１５の回転数を速くするだけで、移動側破砕部材３２を固定側破砕部材３１に対して接近離間させる速度を速くすることができる。言い換えれば、豚骨ｍを破砕する速度を速くすることができるから、作業効率を容易に向上させることができる。すると、料理等に使用する豚骨ｍの下準備を容易かつ短時間で行なうことができる。
【００１４】
なお、移動側破砕部材３２は一枚でもよいが、移動側破砕部材３２を複数設けることによって上記のごとき効果を得ることができる。
【００１５】
さらに、固定側破砕部材３１および回転体１５を覆うように、ケーシング２０が取り付けられているから、豚骨ｍを破砕したときに、破砕された豚骨ｍの破片や、髄液等が周囲に飛散することを防ぐことができる。よって、豚骨ｍの破砕作業によって作業場が汚れることを防ぐことができる。
そして、粉砕された破砕片ａは、ケーシング２０の排出部２７から排出されるから、排出部２７の下方に回収部７０を配置しておけば、破砕片ａの回収が容易になる。
【００１６】
なお、ケーシング２０を設けなくてもよいが、ケーシング２０設けることによって上記のごとき効果を得ることができる。
【００１７】
そして、固定側破砕部材３１と排出部２７との間において、前記回転体１５の下方には、複数の第２破砕部材３３が設けられている。この第２破砕部材３３は、回転体１５の半径方向において、移動側破砕部材３２の外端縁から回転軸１３の中心軸までの距離Ｒ１と回転軸１３の中心軸からの距離Ｒ３の差Ｄ３が、破砕する豚骨ｍの幅Ｂよりも短くなるように形成されている。具体的には、差Ｄ３は、１０〜１５ｍｍ、つまり前記差Ｄ１と同等もしくはわずかに狭くなるように調整されている。
そして、第２破砕部材３３は、回転体１５の回転方向に沿って、互いに間隔Ｗを空けた状態で配設されている。具体的には、間隔Ｗは、１０〜１５ｍｍとなるように調整されている。
【００１８】
このため、固体側破砕部材５１の位置で破砕された豚骨ｍの破砕片ａは、固体側破砕部材５１と回転体１５との間隔よりも小さくなると、複数の第２破砕部材３３上に落下する。すると、破砕片ａが複数の第２破砕部材３３同士の間隔Ｗよりも小さく破砕されている場合には、その破砕片ａを第２破砕部材３３同士の間からケーシング２０の排出部２７を通して回収部７０まで落下させることができる。
そして、破砕された豚骨ｍの破砕片ａが複数の第２破砕部材３３同士の間隔Ｗよりも大きい場合や、豚骨ｍが破砕されずにそのままできなかった場合には、破砕片ａ等は第２破砕部材３３同士の間に保持される。すると、その破砕片ａ等を、第２破砕部材３３と移動側破砕部材３２との間に挟んで破砕することができる。そして、破砕片ａが第２破砕部材３３同士の間隔Ｗよりも小さくなると、破砕片ａは第２破砕部材３３同士の間から落下する。つまり、第２破砕部材３３を設けることによって、豚骨ｍを、所定の大きさ、具体的には第２破砕部材３３同士の間隔Ｗよりも小さくなるまで破砕することができるのである。
【００１９】
なお、豚骨ｍをそれほど小さくしない場合や、破砕されていない豚骨ｍが含まれていても問題ない場合には、第２破砕部材３３は設けなくてもよい。
【００２０】
つぎに、移動側破砕部材３２について詳細に説明する。
図２に示すように、回転体１５の外周面に形成されている移動側破砕部材３２において、その回転体１５の回転方向前面には、破砕する豚骨ｍに接触する押圧面３２ｓ  が形成されている。この押圧面３２ｓ  は、回転体１５の外周面に対してほぼ垂直となるように形成されている。
このため、移動側破砕部材３２の押圧面３２ｓ  が豚骨ｍに接触したときにおいて、押圧面３２ｓ  から豚骨ｍに加わる力の方向を、回転体１５の接線方向とほぼ同じ方向とすることができるから、回転体１５の回転力を確実に豚骨ｍに加えることができ、豚骨ｍを効率よく破砕することができる。
【００２１】
また、移動側破砕部材３２の回転軸１３の軸方向の長さＤ４は各回転部材ＣＰの厚さと同じ厚さで形成されているから、回転体１５の回転軸１３の軸方向の長さＤ５よりも短くなる。そして、回転体１５が３枚の回転部材ＣＰを接合して形成されているから、隣接する移動側破砕部材３２同士は、回転体１５の半径方向から見て、回転軸１３の軸方向の位置が互いにオフセットする（図２（Ｂ）参照）。
そして、移動側破砕部材３２において、その回転体１５の回転方向背面には傾斜面３２ｂ  が形成されており、この傾斜面３２ｂ  は、移動側破砕部材３２の先端から回転方向後方に位置する回転体１５の外周面に向かって傾斜している。しかも、この傾斜面３２ｂ  は、回転方向後方の移動側破砕部材３２の位置では、回転軸１３の軸方向において、その側方に位置する回転体１５の外周面との間に段差が形成されるように形成されている。
このため、回転体１５の外周面と固定側破砕部材３１との間に配置された豚骨ｍは、移動側破砕部材３２が固定側破砕部材３１の位置まで回転してきたときには、回転軸１３の軸方向に対して傾斜した状態に配置されることになる。つまり、豚骨ｍは、その一端が回転体１５の外周面に接触した状態で、その他端が固定側破砕部材３１に載せられた状態に配置されることになる。すると、豚骨ｍの中間部分を、移動側破砕部材３２の移動経路上に確実に配置させることができる。言い換えれば、豚骨ｍの中間部分に移動側破砕部材３２を確実に接触させることができるから、豚骨ｍを確実に折ったり破砕したりすることができる。
そして、隣接する移動側破砕部材３２同士の回転軸１３の軸方向の位置が互いにオフセットしているから、一本の豚骨ｍであっても、複数箇所に移動側破砕部材３２を接触させることができる。よって、豚骨ｍを、確実かつ細かく破砕することができる。
【００２２】
なお、移動側破砕部材３２に傾斜面３２ｂ  を設ける代わりに、移動側破砕部材３２の押圧面３２ｓ  の前方に位置する回転体１５の外周面を、その外周面に接触した豚骨ｍが回転軸１３の軸方向に対して傾斜するように形成させてもよい。例えば、回転体１５の外周面を回転軸１３の軸方向に対して傾斜させれば、豚骨ｍをその傾斜に沿って配置されるし、回転体１５の外周面に突起などを形成して段差ができるようにすれば、その突起を支点として豚骨ｍを傾斜させることができる。
【００２３】
【発明の効果】
請求項１の発明によれば、回転体の外周面と固定側破砕部材との間に配置した状態で回転体を回転させれば、固定側破砕部材に対して移動側破砕部材が接近し、両者の間に物体を挟むことができるから、物体を切断したり押圧して破砕することができる。しかも、回転体を回転させるだけで固定側破砕部材に対して移動側破砕部材を接近させることができるから、移動側破砕部材を、固定側破砕部材に対して高速で接近離間させることができる。よって、物体を破砕する作業効率を向上させることができる。
請求項２の発明によれば、回転体の外周面と固定側破砕部材との間に配置された物体が回転体から離間することを防ぐことができる。すると、移動側破砕部材を物体に確実に接触させることができるから、破砕作業を確実に行なうことができる。
請求項３の発明によれば、物体の一端を回転体の外周面に接触させた状態で他端を固定側破砕部材に接触させておくことができる。すると、物体の中間部分に移動側破砕部材を接触させることができるから、物体を確実に折ったり破砕したりすることができる。
請求項４の発明によれば、複数の移動側破砕部材が回転体の回転方向に沿って設けられているから、一の移動側破砕部材が物体に接触してから、次の移動側破砕部材が物体に接触するまでの時間を短くすることができる。よって、物体を破砕する作業効率を、さらに向上させることができる。
請求項５の発明によれば、物体が隣接する移動側破砕部材間に配置されると、その物体は、回転体の回転軸に対して傾斜した状態、つまり、物体は、その一端を回転体の外周面に接触し、かつ他端が固定側破砕部材に接触したさせておくことができる。すると、物体の中間部分に移動側破砕部材を接触させることができるから、物体を確実に折ったり破砕したりすることができる。
請求項６の発明によれば、複数の第２破砕部材同士の間隔よりも大きい物体は第２破砕部材同士の間に保持しておくことができるから、固体側破砕部材で破砕された物体や、固体側破砕部材で破砕できなかった物体を移動側破砕部材によって第２破砕部材同士の間隔よりも小さくなるまで破砕することができる。すると、複数の第２破砕部材同士の間隔を調整すれば、破砕後の物体を所定の大きさよりも確実に小さくすることができる。
請求項７の発明によれば、物体を物体投入部からケーシング内に供給すれば、一対の破砕部材によって物体を破砕させることができ、破砕された部材を排出部からケーシング外に排出させることができる。しかも、一対の破砕部材および回転体がケーシングに覆われているから、物体が破砕したときに発生する破片等が周囲に飛散することを防ぐことができる。
請求項８の発明によれば、複数の第２破砕部材同士の間隔よりも大きい物体は第２破砕部材同士の間に保持しておくことができるから、固体側破砕部材で破砕された物体や、固体側破砕部材で破砕できなかった物体を移動側破砕部材によって第２破砕部材同士の間隔よりも小さくなるまで破砕することができる。すると、複数の第２破砕部材同士の間隔を調整すれば、破砕後の物体を所定の大きさよりも確実に小さくすることができる。
請求項９の発明によれば、豚骨を短時間で確実に破砕できるから、料理等に使用する豚骨の下準備を容易にすることができる。
【図面の簡単な説明】
【図１】本実施形態の破砕装置１の概略説明図である。
【図２】本実施形態の破砕装置１の要部拡大図である。
【符号の説明】
１      破砕装置
１０    本体
１３    回転軸
１５    回転体
２０    ケーシング
２２    物体投入部
２７    排出部
３１    固定側破砕部材
３２    移動側破砕部材
３３    第２破砕部材
ａ      破砕片
ｍ      豚骨
【図１】
2004314023.tif 000003
【図２】
2004314023.tif 000004